(57)【特許請求の範囲】
【請求項１】
ＨＳＴポンプとＨＳＴモータとが油路で閉回路接続され、チャージ圧となる作動油が供給されるＨＳＴ回路と、
前記ＨＳＴモータに接続され、前記チャージ圧を解除圧として受圧して前記ＨＳＴモータの制動を解除するネガティブ式の駐車ブレーキと、
前記ＨＳＴモータに接続され、前記チャージ圧を受圧して速度段を高速段と低速段とに切り替える多段変速機と
を備え、
前記ＨＳＴ回路は、前記駐車ブレーキが作動して前記ＨＳＴモータが制動されているとき、前記多段変速機の前記速度段を前記高速段に電気的に切り替えて保持する高速段保持手段を有する、転圧機械。
【請求項２】
前記ＨＳＴ回路は、
前記駐車ブレーキへの前記チャージ圧の供給、遮断を切り替える駐車ブレーキ用電磁弁を含み、前記駐車ブレーキ用電磁弁が電気的に接続される駐車ブレーキ回路と、
前記多段変速機への前記チャージ圧の供給、遮断を切り替えることにより前記速度段を前記高速段、前記低速段に切り替える変速用電磁弁を含み、前記変速用電磁弁が電気的に接続される変速回路と
をさらに備え、
前記高速段保持手段は、前記駐車ブレーキ回路と前記変速回路とを電気的に接続する電力線である、請求項１に記載の転圧機械。
【請求項３】
前記駐車ブレーキ回路は、オンにより前記駐車ブレーキを作動させて前記ＨＳＴモータを制動する一方、オフにより前記駐車ブレーキを非作動として前記ＨＳＴモータの制動を解除する駐車ブレーキ用スイッチをさらに含み、
前記駐車ブレーキ用電磁弁は、前記駐車ブレーキ用スイッチがオフのときに前記駐車ブレーキに前記チャージ圧が供給されて前記ＨＳＴモータの制動を解除する一方、前記駐車ブレーキ用スイッチがオンのときに前記駐車ブレーキへの前記チャージ圧が遮断されて前記ＨＳＴモータを制動する、請求項２に記載の転圧機械。
【請求項４】
前記変速回路は、前記変速回路に給電するバッテリをさらに含み、
前記変速用電磁弁は、前記バッテリからの給電が遮断されたとき、前記速度段を前記低速段に切り替え、
前記高速段保持手段は、前記駐車ブレーキが作動して前記ＨＳＴモータが制動されているときには、前記速度段が前記低速段のとき、前記駐車ブレーキ回路から前記電力線を介して前記変速回路の前記変速用電磁弁に給電することにより、前記速度段を前記高速段に電気的に切り替えて保持する、請求項３に記載の転圧機械。
【請求項５】
前記変速回路は、前記変速回路を流れる過電流により前記バッテリからの給電を遮断する変速用ヒューズをさらに含み、
前記高速段保持手段は、前記駐車ブレーキが作動して前記ＨＳＴモータが制動されているときには、前記変速用ヒューズの切断により前記バッテリからの給電が遮断されたときであっても、前記駐車ブレーキ回路から前記電力線を介して前記変速回路の前記変速用電磁弁に給電することにより、前記速度段を前記高速段に電気的に切り替えて保持する、請求項４に記載の転圧機械。
【請求項６】
前記駐車ブレーキ回路は、前記駐車ブレーキ用スイッチがオンのときに可動接点が開接点に接触してオンとなる一方、前記駐車ブレーキ用スイッチがオフのときに前記可動接点が閉接点のままでオフとなる駐車ブレーキ用リレーをさらに含み、
前記駐車ブレーキ用電磁弁は、前記駐車ブレーキ用リレーの前記可動接点がオフのときに通電され、該通電により開弁することで前記駐車ブレーキに前記チャージ圧が供給されて前記ＨＳＴモータの制動を解除する一方、前記駐車ブレーキ用リレーの前記可動接点がオンのときに非通電となり、該非通電により閉弁することで前記駐車ブレーキへの前記チャージ圧が遮断されて前記ＨＳＴモータを制動する、請求項４又は５に記載の転圧機械。
【請求項７】
前記電力線は、前記駐車ブレーキ回路における前記駐車ブレーキ用リレーの前記開接点側と、前記変速回路における前記変速用電磁弁とに接続される、請求項６に記載の転圧機械。
【請求項８】
前記ＨＳＴ回路は、前記駐車ブレーキが作動して前記ＨＳＴモータが制動されたとき、前記高速段保持手段により前記速度段を前記高速段に切り替えるのを遅延させる遅延手段を有する、請求項３に記載の転圧機械。
【請求項９】
前記遅延手段は、前記電力線に設けられ、前記駐車ブレーキ回路から前記変速回路の前記変速用電磁弁への給電を遅延させるタイマーである、請求項８に記載の転圧機械。
【請求項１０】
前記遅延手段は、前記変速用電磁弁から前記多段変速機に接続された前記作動油の前記油路に設けられたオリフィスである、請求項８に記載の転圧機械。
【発明の詳細な説明】
【技術分野】
【０００１】
本発明は、路面を締め固めるための転圧機械に関し、特にＨＳＴ（ハイドロスタティックパワートランスミッション）を備えた振動ローラ車両等の転圧機械に関する。
【背景技術】
【０００２】
特許文献１に開示されたＨＳＴ車両のブレーキ装置では、ＨＳＴモータを駆動源とする駆動機構のブレーキにブレーキ用油圧回路が接続され、ブレーキ用油圧回路に供給される作動油を遮断することでブレーキを作動させることができる。このブレーキ装置では、ブレーキ用油圧回路を開通、遮断するブレーキバルブの下流と、ＨＳＴ制御用油圧回路とが連通されている。
【０００３】
そして、ブレーキバルブによってブレーキ用油圧回路を遮断し、ブレーキを作動させたとき、ブレーキ用油圧回路とタンクとを連通させる。これにより、ＨＳＴ制御用油圧回路はブレーキ用油圧回路を介してタンクと連通され、ＨＳＴ制御用油圧回路を流れる作動油の油圧は開放され、ブレーキの作動を解除しない限りＨＳＴによる駆動ができない。こうして、上記ブレーキ装置では安全な制動を行うことができ、ブレーキ装置の信頼性を高めている。
【先行技術文献】
【特許文献】
【０００４】
【特許文献１】実開平６−２３８５９号公報
【発明の概要】
【発明が解決しようとする課題】
【０００５】
上記特許文献１のブレーキ装置は、チャージ圧を解除圧として受圧してＨＳＴモータの制動を解除するネガティブ式の駐車ブレーキにも適用可能である。しかし、ブレーキ用油圧回路とＨＳＴ制御用油圧回路とを連通するための配管や、配管を遮断、連通するための電磁弁等が必要となる。このような油圧回路における配管や電磁弁等の追加は、駐車ブレーキ回路を含むＨＳＴ回路のコスト及び占有スペースの増大を招くという問題がある。
【０００６】
本発明はこのような課題に鑑みてなされたものであり、その目的とするところは、駐車ブレーキ回路を含むＨＳＴ回路の低コスト且つ省スペース化を実現しながら、駐車ブレーキによる制動の安全性及び信頼性を高めることができる転圧機械を提供することにある。
【課題を解決するための手段】
【０００７】
上記目的を達成するため、本発明の転圧機械は、ＨＳＴポンプとＨＳＴモータとが油路で閉回路接続され、チャージ圧となる作動油が供給されるＨＳＴ回路と、ＨＳＴモータに接続され、チャージ圧を解除圧として受圧してＨＳＴモータの制動を解除するネガティブ式の駐車ブレーキと、ＨＳＴモータに接続され、チャージ圧を受圧して速度段を高速段と低速段とに切り替える多段変速機とを備え、ＨＳＴ回路は、駐車ブレーキが作動してＨＳＴモータが制動されているとき、多段変速機の速度段を高速段に電気的に切り替えて保持する高速段保持手段を有する。
【０００８】
好ましくは、ＨＳＴ回路は、駐車ブレーキへのチャージ圧の供給、遮断を切り替える駐車ブレーキ用電磁弁を含み、駐車ブレーキ用電磁弁が電気的に接続される駐車ブレーキ回路と、多段変速機へのチャージ圧の供給、遮断を切り替えることにより速度段を高速段、低速段に切り替える変速用電磁弁を含み、変速用電磁弁が電気的に接続される変速回路とをさらに備え、高速段保持手段は、駐車ブレーキ回路と変速回路とを電気的に接続する電力線である。
【０００９】
好ましくは、駐車ブレーキ回路は、オンにより駐車ブレーキを作動させてＨＳＴモータを制動する一方、オフにより駐車ブレーキを非作動としてＨＳＴモータの制動を解除する駐車ブレーキ用スイッチをさらに含み、駐車ブレーキ用電磁弁は、駐車ブレーキ用スイッチがオフのときに駐車ブレーキにチャージ圧が供給されてＨＳＴモータの制動を解除する一方、駐車ブレーキ用スイッチがオンのときに駐車ブレーキへのチャージ圧が遮断されてＨＳＴモータを制動する。
【００１０】
好ましくは、変速回路は、変速回路に給電するバッテリをさらに含み、変速用電磁弁は、バッテリからの給電が遮断されたとき、速度段を低速段に切り替え、高速段保持手段は、駐車ブレーキが作動してＨＳＴモータが制動されているときには、速度段が低速段のとき、駐車ブレーキ回路から電力線を介して変速回路の変速用電磁弁に給電することにより、速度段を高速段に電気的に切り替えて保持する。
【００１１】
好ましくは、変速回路は、変速回路を流れる過電流によりバッテリからの給電を遮断する変速用ヒューズをさらに含み、高速段保持手段は、駐車ブレーキが作動してＨＳＴモータが制動されているときには、変速用ヒューズの切断によりバッテリからの給電が遮断されたときであっても、駐車ブレーキ回路から電力線を介して変速回路の変速用電磁弁に給電することにより、速度段を高速段に電気的に切り替えて保持する。
【００１２】
好ましくは、駐車ブレーキ回路は、駐車ブレーキ用スイッチがオンのときに可動接点が開接点に接触してオンとなる一方、駐車ブレーキ用スイッチがオフのときに可動接点が閉接点のままでオフとなる駐車ブレーキ用リレーをさらに含み、駐車ブレーキ用電磁弁は、駐車ブレーキ用リレーの可動接点がオフのときに通電され、該通電により開弁することで駐車ブレーキにチャージ圧が供給されてＨＳＴモータの制動を解除する一方、駐車ブレーキ用リレーの可動接点がオンのときに非通電となり、該非通電により閉弁することで駐車ブレーキへのチャージ圧が遮断されてＨＳＴモータを制動する。
【００１３】
好ましくは、電力線は、駐車ブレーキ回路における駐車ブレーキ用リレーの開接点側と、変速回路における変速用電磁弁とに接続される。
好ましくは、ＨＳＴ回路は、駐車ブレーキが作動してＨＳＴモータが制動されたとき、高速段保持手段により速度段を高速段に切り替えるのを遅延させる遅延手段を有する。
好ましくは、遅延手段は、電力線に設けられ、駐車ブレーキ回路から変速回路の変速用電磁弁への給電を遅延させるタイマーである。
【００１４】
好ましくは、遅延手段は、変速用電磁弁から多段変速機に接続された作動油の油路に設けられたオリフィスである。
【発明の効果】
【００１５】
本発明の転圧機械によれば、駐車ブレーキ回路を含むＨＳＴ回路の低コスト且つ省スペース化を実現しながら、駐車ブレーキによる制動の安全性及び信頼性を高めることができる。
【図面の簡単な説明】
【００１６】
【図１】本発明の実施形態に係る転圧機械の一例である振動ローラの側面図である。
【図２】図１の振動ローラに設けられる本発明の第１実施形態に係るＨＳＴ回路の一部を示す油圧回路図である。
【図３】図２のＨＳＴ回路に設けられる駐車ブレーキ回路及び変速回路を示す電気回路図である。
【図４】図３の駐車ブレーキ回路及び変速回路で行われる高速段保持の流れを示すフローチャートである。
【図５】本発明の変形例に係る駐車ブレーキ回路及び変速回路を示す電気回路図である。
【図６】本発明の別の変形例に係るＨＳＴ回路を示す油圧回路図である。
【図７】図５又は図６で行われる高速段保持の流れを示すフローチャートである。
【発明を実施するための形態】
【００１７】
以下、図面に基づき本発明の一実施形態について説明する。
図１に示すように、本実施形態に係る転圧機械は、例えば舗装作業を行う振動ローラ車両１である。振動ローラ車両１は、前部転圧ローラ２を備えた前部車体４と後部転圧ローラ６を備えた後部車体８とから概略構成されている。これら前部車体４と後部車体８とはセンタピン１０を介して水平方向に屈曲可能なアーティキュレート式に連結されており、振動ローラ車両１は、前部車体４と後部車体８とを相互に屈曲することで車両の旋回を行うことが可能に構成されている。
【００１８】
前部転圧ローラ２は、ほぼ車幅と対応する長さを有する金属ドラムから構成され、前部車体４から下方に延設された左右一対の支持アーム１２により回転可能に支持されている。一方、後部転圧ローラ６は２本一対のゴムタイヤ６ａ、６ａの組が左右一対設けられて計４本のゴムタイヤ６ａから構成され、後部車体８に設けられたモータ１４により回転可能に支持されている。
【００１９】
後部車体８上の前側位置にはステアリング１６を備えた操作台１８が設置され、操作台１８の後側には座席２０が設置されている。操作台１８には、後述する駐車ブレーキ２２を作動させる駐車ブレーキ用スイッチ２４等の各種操作スイッチが配置されている。また、座席２０に着座した作業者はステアリング１６及び図示しないアクセルレバーや前後進レバーを操作することにより振動ローラ車両１を走行させ、舗装作業時には前部転圧ローラ２及び後部転圧ローラ６により路面の転圧を行なう。
【００２０】
図２は、ＨＳＴ回路２６における前部転圧ローラ２側の油圧回路のみを代表して示している。本実施形態の特徴部分については後部転圧ローラ６側の油圧回路も前部転圧ローラ２側の油圧回路とほぼ同じ構成となるため、後部転圧ローラ６側の油圧回路については説明を省略する。
前部転圧ローラ２はドライブプレート２９の動力を伝達されて駆動されるようになっている。ドライブプレート２９はＨＳＴ回路２６のＨＳＴモータ２８の動力を伝達されて駆動される。
【００２１】
ＨＳＴ回路２６は、エンジン３０と、このエンジン３０により駆動される両傾転式の可変容量型油圧ポンプであるＨＳＴポンプ３２と、作動油が流れる配管である油路でＨＳＴポンプ３２とともに閉回路接続された走行用油圧モータである前述したＨＳＴモータ２８とを有する。
ＨＳＴ回路２６には、油路の低圧側に作動油を供給するチャージ回路３４が付設されている。このチャージ回路３４はチャージポンプ３６を有し、チャージポンプ３６は作動油タンク３８からチャージ圧に昇圧された作動油をＨＳＴ回路２６に供給する。
【００２２】
ＨＳＴモータ２８には、駐車ブレーキ２２と多段変速機４０とが接続されている。
駐車ブレーキ２２は、前述した駐車ブレーキ用スイッチ２４の操作によりチャージポンプ３６により昇圧された作動油のチャージ圧を解除圧として受圧してＨＳＴモータ２８の制動を解除するネガティブ式のブレーキである。駐車ブレーキ２２は、何れも図示しないが、ＨＳＴモータ２８の出力軸と一体に回転するフリクションプレート（内歯）、このフリクションプレート（内歯）に対し摺動又は離間するフリクションプレート（外歯）、このフリクションプレート（外歯）と一体のピストン、このピストンを介してフリクションプレート（外歯）をフリクションプレート（内歯）に押し付けられる皿バネ、この皿バネに抗してピストンを押圧する解除圧を導入のための解除圧室等から構成されている。
【００２３】
駐車ブレーキ２２では、解除圧室に解除圧が導入されると、ピストンが皿バネに抗して移動し、これに伴ってフリクションプレート（外歯）がフリクションプレート（内歯）から離間し、ＨＳＴモータ２８の制動が解除される。解除圧室の圧力が解除圧に満たなければ、皿バネによりピストンを介してフリクションプレート（外歯）がフリクションプレート（内歯）に押し付けられ、ＨＳＴモータ２８は制動される。また、ＨＳＴポンプ３２におけるチャージポンプ３６の吐出側には駐車ブレーキ用電磁弁４２が接続され、駐車ブレーキ用電磁弁４２により駐車ブレーキ２２へのチャージ圧の供給、遮断が切り替えられる。
【００２４】
一方、多段変速機４０は、チャージポンプ３６により昇圧された作動油のチャージ圧を受圧して速度段を高速段と低速段とに切り替える。チャージポンプ３６の吐出側に変速用切換弁４４が接続されている。この変速用切換弁４４はＨＳＴモータ２８に設けられ、ＨＳＴポンプ３２側に別途設けられた変速用電磁弁４６によって多段変速機４０へのチャージ圧の供給、遮断を切り替えることで、多段変速機４０の速度段が高速段、低速段に切り替えられる。
【００２５】
ここで、本実施形態では、駐車ブレーキ用スイッチ２４が操作され、駐車ブレーキ２２が作動してＨＳＴモータ２８が制動されているとき、多段変速機４０の速度段を高速段に電気的に切り替えて保持する高速保持手段がＨＳＴ回路２６に備えられている。
詳しくは、図３に示すように、ＨＳＴ回路２６は、駐車ブレーキ用電磁弁４２が電気的に接続された駐車ブレーキ回路４８と、変速用電磁弁４６が電気的に接続された変速回路５０とを備えている。そして、駐車ブレーキ回路４８と変速回路５０とを後述する電力線（高速段保持手段）５１で繋げて電気的に接続することにより多段変速機４０における高速段保持を実現している。
【００２６】
以下、図３及び図４を参照し、ＨＳＴ回路２６で行われる多段変速機４０の速度段の高速段保持について詳しく説明する。駐車ブレーキ回路４８は、駐車ブレーキ用電磁弁４２、駐車ブレーキ用スイッチ２４、駐車ブレーキ用リレー５２等が閉回路接続されて形成されている。駐車ブレーキ回路４８にはバッテリ６０から給電され、バッテリ６０からの給電は駐車ブレーキ回路４８を流れる過電流により駐車ブレーキ用ヒューズ５６によって遮断される。
【００２７】
駐車ブレーキ用スイッチ２４は、オンにより駐車ブレーキ２２を作動させてＨＳＴモータ２８を制動する。一方、駐車ブレーキ用スイッチ２４は、オフにより駐車ブレーキ２２を非作動としてＨＳＴモータ２８の制動を解除する。駐車ブレーキ用リレー５２は、駐車ブレーキ用スイッチ２４がオンのときに可動接点５２ａが開接点５２ｃに接触してオンとなる。一方、駐車ブレーキ用リレー５２は、駐車ブレーキ用スイッチ２４がオフのときに可動接点５２ａが閉接点５２ｂのままでオフとなる。
【００２８】
そして、駐車ブレーキ用電磁弁４２は、駐車ブレーキ用リレー５２の可動接点５２ａがオフのときに通電され、該通電により開弁することで駐車ブレーキ２２にチャージ圧が供給されてＨＳＴモータ２８の制動を解除する。一方、駐車ブレーキ用電磁弁４２は、駐車ブレーキ用リレー５２の可動接点５２ａがオンのときに非通電となり、該非通電により閉弁することで駐車ブレーキ２２へのチャージ圧が遮断されてＨＳＴモータ２８を制動する。
【００２９】
変速回路５０には、ＨＳＴポンプ３２側の変速用電磁弁４６、変速用スイッチ５８等が接続されて形成されている。変速回路５０にはバッテリ６０から給電され、バッテリ６０からの給電は変速回路５０を流れる過電流により変速用ヒューズ６２によって遮断される。変速用電磁弁４６はバッテリ６０からの給電が変速用ヒューズ６２の切断等の原因で遮断されたとき、多段変速機４０の速度段を低速段に切り替える。
また、電力線５１は、駐車ブレーキ回路４８における駐車ブレーキ用リレー５２の開接点５２ｃ側と、変速回路５０における変速用電磁弁４６側とに接続されている。
【００３０】
図４に示すように、先ず、駐車ブレーキ用スイッチ（Ｐ／Ｂ・ＳＷ）２４が作動（オン）しているか否かを判定する（ステップＳ１１）。Ｐ／Ｂ・ＳＷ２４がオンのとき（Ｙｅｓ）、ステップＳ１２に移行し、Ｐ／Ｂ・ＳＷ２４がオンではないとき（Ｎｏ）、再びステップＳ１１に移行する。
次に、ステップＳ１２では、駐車ブレーキ用リレー（Ｐ／Ｂリレー）５２を励磁（オフ）させてステップＳ１３、Ｓ１４に移行する。
【００３１】
ステップＳ１３では、駐車ブレーキ用電磁弁（Ｐ／Ｂ電磁弁）４２を非通電として閉弁してステップＳ１５に移行する。ステップＳ１５では駐車ブレーキ（Ｐ／Ｂ）２２を作動させてＨＳＴモータ２８を制動し、本フローをリターンする。一方、ステップＳ１４では、駐車ブレーキ用電磁弁４２の非通電に伴い電力線５１に通電され、ステップＳ１６に移行する。
【００３２】
ステップＳ１６では、駐車ブレーキ２２が作動してＨＳＴモータ２８が制動されているときには、速度段が低速段のとき、駐車ブレーキ回路４８から電力線５１を介して変速回路５０の変速用電磁弁４６に給電することにより、多段変速機４０の速度段を低速段から高速段に電気的に切り替えて保持し、本フローをリターンする。
また、駐車ブレーキ２２が作動してＨＳＴモータ２８が制動されているときには、変速用ヒューズ６２の切断等によりバッテリ６０からの給電が遮断され、当該遮断により多段変速機４０の速度段が低速段に切り替えられても、駐車ブレーキ回路４８から電力線５１を介して変速回路５０の変速用電磁弁４６に給電することにより、多段変速機４０の速度段が高速段に電気的に切り替えられて保持される。
【００３３】
以上のように本実施形態の振動ローラ車両１では、ＨＳＴ回路２６が多段変速機４０の速度段の高速段保持手段として電力線５１を有する。これにより、駐車ブレーキ２２が作動してＨＳＴモータ２８が制動中には、多段変速機４０の速度段が低速段であるときには速度段を高速段に電気的に切り替えて保持し、多段変速機４０の速度段が高速段であるときには速度段を高速段のまま保持することができる。従って、ＨＳＴ回路２６において油路である配管や配管を遮断、連通するための電磁弁等を別途設ける必要はない。すなわち、油圧回路の改造を行わなくとも、駐車ブレーキ回路４８及び変速回路５０を構成する電気回路に電力線５１、すなわちハーネスを１本追加するだけで、上述した高速段保持手段を実現することができる。
【００３４】
また、駐車ブレーキ２２の作動中に多段変速機４０の速度段を高速段に保持することにより、坂道等で振動ローラ車両１が動いてしまう危険性を確実に排除することができ、駐車ブレーキ２２による制動の安全性及び信頼性を高めることができる。具体的には、極端に急な坂道においては、駐車ブレーキ２２の作動中に作業者が誤って前後進レバーを操作した際に、低速段の高トルクと振動ローラ車両１の車重とによって、駐車ブレーキ２２の制動力よりも振動ローラ車両１の発進力が勝り、振動ローラ車両１が動いてしまう危険性は払拭できない。
【００３５】
しかし、上記高速段保持手段を備えることにより、こういった振動ローラ車両１の意図しない発進を確実に防止することができる。従って、駐車ブレーキ回路４８を含むＨＳＴ回路２６の低コスト且つ省スペース化を実現しながら、駐車ブレーキ２２による制動の安全性及び信頼性を高めることができる。
また、駐車ブレーキ回路４８から電力線５１を介して変速回路５０の変速用電磁弁４６に給電することにより、変速用ヒューズ６２の切断によりバッテリ６０からの給電が遮断され、変速回路５０が無給電状態で速度段が低速段となったときであっても、多段変速機４０の速度段を高速段に確実に切り替えて保持することができる。
【００３６】
また、電力線５１は、駐車ブレーキ回路４８における駐車ブレーキ用リレー５２の開接点５２ｃ側と、変速回路５０における変速用電磁弁４６とに接続される。これにより、駐車ブレーキ用リレー５２が固着等により動かなくなったとしても、駐車ブレーキ用電磁弁４２が通電により開弁（オン）の状態、すなわち、駐車ブレーキ用スイッチ２４がオンであるにも拘わらず、ＨＳＴモータ２８の制動が解除されて振動ローラ車両１が走行可能な状態で、作業者の意に反して速度段が低速段から高速段にされて急加速するような事態を防止することができる。
【００３７】
以上で本発明の実施形態についての説明を終えるが、本発明はこれに限定されるものではなく、本発明の趣旨を逸脱しない範囲で種々の変更ができるものである。
例えば、図５に示すように、駐車ブレーキ２２が作動してＨＳＴモータ２８が制動されたとき、高速段保持手段により速度段を高速段に切り替えるのを遅延させる遅延手段として、ＨＳＴ回路２６の電力線５１にタイマー６４を設けても良い。このタイマー６４によって、駐車ブレーキ回路４８から変速回路５０の変速用電磁弁４６への給電が遅延される。
【００３８】
また、図６に示すように、上記遅延手段の別の例として、ＨＳＴポンプ３２側の変速用電磁弁４６と、ＨＳＴモータ２８側の変速用切換弁４４とを接続する油路６６にオリフィス６８を設けても良い。このオリフィス６８によって油路６６の流路が絞られるため、変速用切換弁４４と変速用電磁弁４６との間の作動油の流れが遅延される。
【００３９】
図７に示すように、このような遅延手段のステップＳ１７を速度段の切り替え側のステップルートであるステップＳ１４、Ｓ１６間に設けたことにより、駐車ブレーキ２２が確実に作動した後に、速度段が高速段に切り替えられる。従って、速度段が高速段に一瞬切り替わった後に駐車ブレーキ２２による制動が行われることを防止することができる。従って、振動ローラ車両１が制動直前に一瞬加速して動くような状態が排除され、作業者のドライブフィーリングの違和感を確実に払拭することができる。
【００４０】
また、上記実施形態では、図２においてＨＳＴ回路２６における前部転圧ローラ２側の油圧回路を代表して示し、本発明の高圧段保持について説明した。しかし、前述したように、本実施形態の特徴部分については後部転圧ローラ６側の油圧回路も前部転圧ローラ２側の油圧回路とほぼ同じ構成となり、本発明の高圧段保持を後部転圧ローラ６の制動時にも行うのは勿論である。
【００４１】
また、上記実施形態では、振動ローラ車両１により本発明を具現化して説明したが、適用する転圧機械はこれに限定されるものではなく、前後輪をともに鉄輪（転圧輪）としたマカダムローラ、或いは、前後輪をゴムタイヤとしたタイヤローラ等の車両に適用しても良い。
【符号の説明】
【００４２】
１    振動ローラ車両（転圧機械）
２２    駐車ブレーキ
２４    駐車ブレーキ用スイッチ
２６    ＨＳＴ回路
２８    ＨＳＴモータ
３２    ＨＳＴポンプ
４０    多段変速機
４２    駐車ブレーキ用電磁弁
４４    変速用切換弁
４６    変速用電磁弁
４８    駐車ブレーキ回路
５０    変速回路
５１    電力線（高速段保持手段）
５２    駐車ブレーキ用リレー
５２ａ    可動接点
５２ｂ    閉接点
５２ｃ    開接点
６０    バッテリ
６２    変速用ヒューズ
６４    タイマー（遅延手段）
６６    油路
６８    オリフィス（遅延手段）
【図１】
0006313732.tif 000002
【図２】
0006313732.tif 000003
【図３】
0006313732.tif 000004
【図４】
0006313732.tif 000005
【図５】
0006313732.tif 000006
【図６】
0006313732.tif 000007
【図７】
0006313732.tif 000008